(57)【特許請求の範囲】
【請求項１】
貨幣が投入される入金部と、
前記入金部に投入された貨幣が振り分けられて収納される複数の収納部と、
振り分けられる前の貨幣が一時的に保留される一時保留部と、
前記複数の収納部にそれぞれ収納されている貨幣の有無を検知する検知部と、
前記入金部に投入された貨幣を前記一時保留部および前記複数の収納部に搬送するとともに、前記一時保留部に保留された貨幣を前記複数の収納部に搬送する搬送部と、
前記各部を制御して、補充のために前記入金部に投入された貨幣を前記一時保留部に一時的に保留した後、保留された貨幣を前記一時保留部から繰り出し前記収納部に搬送して収納する第１の補充処理と、補充のために前記入金部に投入された貨幣を、前記一時保留部を経由することなく、前記収納部に搬送して収納する第２の補充処理とを選択的に実行する処理実行部と、を備え、
前記処理実行部は、前記複数の収納部の何れの中にも貨幣がないことを条件に、前記第２の補充処理を実行可能である、
ことを特徴とする貨幣処理装置。
【請求項２】
第１の補充操作および第２の補充操作を受け付ける操作受付部を、さらに備え、
前記処理実行部は、
前記第１の補充操作が前記操作受付部により受け付けられた場合、前記第１の補充処理を実行し、
前記第２の補充操作が前記操作受付部により受け付けられた場合、前記複数の収納部の何れの中にも貨幣がなければ前記第２の補充処理を実行し、前記複数の収納部のうちの少なくとも一つの中に貨幣があれば前記第２の補充処理を実行しない、
ことを特徴とする請求項１に記載の貨幣処理装置。
【請求項３】
前記処理実行部は、前記第２の補充操作が前記操作受付部により受け付けられた場合であって前記第２の補充処理を実行しないとき、前記第２の補充処理を実行できないことを報知部により報知する、
ことを特徴とする請求項２に記載の貨幣処理装置。
【請求項４】
第１の補充操作および第２の補充操作を受け付ける操作受付部を、さらに備え、
前記処理実行部は、
前記第１の補充操作が前記操作受付部により受け付けられた場合、前記第１の補充処理を実行し、
前記第２の補充操作が前記操作受付部により受け付けられた場合、前記第２の補充処理を実行し、
前記複数の収納部のうちの少なくとも一つの中に貨幣がある場合、前記操作受付部による前記第２の補充操作の受付を禁止する、
ことを特徴とする請求項１に記載の貨幣処理装置。
【請求項５】
補充操作を受け付ける操作受付部を、さらに備え、
前記処理実行部は、前記補充操作が前記操作受付部により受け付けられた場合、
前記複数の収納部のうちの少なくとも一つの中に貨幣があれば前記第１の補充処理を実行し、
前記複数の収納部の何れの中にも貨幣がなければ前記第２の補充処理を実行する、
ことを特徴とする請求項１に記載の貨幣処理装置。
【請求項６】
前記処理実行部は、
前記第１の補充処理の実行中に異常が発生した場合、前記搬送部および前記一時保留部に存在する貨幣を回収するための第１の回収処理を行い、
前記第２の補充処理の実行中に異常が発生した場合、前記搬送部および前記複数の収納部のうち少なくとも異常に係わる収納部に存在する貨幣を回収するための第２の回収処理を行う、
ことを特徴とする請求項１ないし５の何れか一項に記載の貨幣処理装置。
【請求項７】
前記処理実行部は、前記第１の補充処理が実行中であることを示す表示および前記第２の補充処理が実行中であることを示す表示を表示部に行わせる、
ことを特徴とする請求項１ないし６の何れか一項に記載の貨幣処理装置。
【請求項８】
貨幣が投入される入金部と、
前記入金部に投入された貨幣が振り分けられて収納される複数の収納部と、
振り分けられる前の貨幣が一時的に保留される一時保留部と、
前記入金部に投入された貨幣を前記一時保留部および前記複数の収納部に搬送するとともに、前記一時保留部に保留された貨幣を前記複数の収納部に搬送する搬送部と、
前記各部を制御して、補充のために前記入金部に投入された貨幣を前記一時保留部に一時的に保留した後、保留された貨幣を前記一時保留部から繰り出し前記収納部に搬送して収納する第１の補充処理と、補充のために前記入金部に投入された貨幣を、前記一時保留部を経由することなく、前記収納部に搬送して収納する第２の補充処理とを選択的に実行する処理実行部と、を備え、
前記処理実行部は、
前記第１の補充処理の実行中に異常が発生した場合、前記搬送部および前記一時保留部に存在する貨幣を回収するための第１の回収処理を行い、
前記第２の補充処理の実行中に異常が発生した場合、前記搬送部および前記複数の収納部のうち少なくとも異常に係わる収納部に存在する貨幣を回収するための第２の回収処理を行う、
ことを特徴とする貨幣処理装置。
【発明の詳細な説明】
【技術分野】
【０００１】
本発明は、貨幣の入出金等を行う貨幣処理装置に関する。
【背景技術】
【０００２】
従来、貨幣の入出金等を行う貨幣処理装置として、入金された貨幣が計数された後に一時的に保留される一時保留部を備え、計数結果に基づくユーザの承認操作が行われた後に、一時保留部に保留された貨幣を、金種別に設けられた収納部に振り分けて収納するようにした貨幣処理装置が知られている（特許文献１参照）。かかる貨幣処理装置では、入金された全ての貨幣の計数が完了する前に紙幣詰まりなどの異常が発生し、入金処理のやり直しが必要となった場合に、一時保留部と一時保留部までの搬送経路とに存在する貨幣が回収されればよく、既に収納部に収納されている多量の貨幣にアクセスされないため、セキュリティが保たれる。
【０００３】
ところで、貨幣処理装置では、業務中に収納部の貨幣が不足した場合に、収納部に貨幣が補充される（追加補充）。また、銀行等では、貨幣処理装置が在高として管理する貨幣の数および金額と実際に収納された貨幣の数および金額とが一致しているか否かを確認する精査（現金監査）が定期的（例えば、２週間に１回）に実施される。この精査の際には、全ての貨幣が収納部から一時的に取り出され、その後、空になった収納部に取り出された貨幣が補充される。
【０００４】
上記構成の貨幣処理装置では、このような補充処理の際にも、入金処理の際と同様に、補充される貨幣が、計数された後に一時保留部に保留され、承認操作が行われた後に各収納部に振り分けられる構成が採られ得る。
【先行技術文献】
【特許文献】
【０００５】
【特許文献１】特開２０１０−１７０１７５号公報
【発明の概要】
【発明が解決しようとする課題】
【０００６】
しかしながら、補充処理に上記のような方式が採られた場合、精査時の補充のように多量の貨幣が補充される場合に、処理時間が顕著に長引いてしまうとの問題が生じる。
【０００７】
かかる課題に鑑み、本発明は、貨幣の補充処理に要する時間が長引くのを抑制できる貨幣処理装置を提供することを目的とする。
【課題を解決するための手段】
【０００８】
本発明の主たる態様に係る貨幣処理装置は、貨幣が投入される入金部と、前記入金部に投入された貨幣が振り分けられて収納される複数の収納部と、振り分けられる前の貨幣が一時的に保留される一時保留部と、前記入金部に投入された貨幣を前記一時保留部および前記複数の収納部に搬送するとともに、前記一時保留部に保留された貨幣を前記複数の収納部に搬送する搬送部と、前記各部を制御して、補充のために前記入金部に投入された貨幣を前記一時保留部に一時的に保留した後、保留された貨幣を前記一時保留部から繰り出し前記収納部に搬送して収納する第１の補充処理と、補充のために前記入金部に投入された貨幣を、前記一時保留部を経由することなく、前記収納部に搬送して収納する第２の補充処理とを選択的に実行する処理実行部と、を備える。
【発明の効果】
【０００９】
本発明によれば、補充のために入金部に投入された貨幣を一時保留部に一時的に保留した後、保留された貨幣を一時保留部から繰り出し収納部に搬送して収納する第１の補充処理のみならず、補充のために入金部に投入された貨幣を、一時保留部を経由することなく、収納部に搬送して収納する第２の補充処理をも実行することができ、この第２の補充処理が実行されれば、第１の補充処理が実行される場合に比べて、補充処理に要する時間を短くできる。
【００１０】
よって、本発明によれば、貨幣の補充処理に要する時間が長引くのを抑制できる貨幣処理装置を提供できる。
【００１１】
本発明の効果ないし意義は、以下に示す実施形態の説明により更に明らかとなろう。ただし、以下に示す実施形態は、あくまでも、本発明を実施化する際の一つの例示であって、本発明は、以下の実施形態に記載されたものに何ら制限されるものではない。
【図面の簡単な説明】
【００１２】
【図１】図１は、実施形態に係る、紙幣処理装置の外観を示す斜視図である。
【図２】図２（ａ）は、実施形態に係る、紙幣処理機の内部構成を示す概要図であり、図２（ｂ）は、実施形態に係る、一括収納部および金種別収納部に備えられた紙幣検知部の構成を示す図である。
【図３】図３は、実施形態に係る、紙幣処理装置の主たる構成を示すブロック図である。
【図４】図４は、実施形態に係る、端末制御部が実行する補充処理の制御動作を示すフローチャートである。
【図５】図５は、実施形態に係る、端末制御部が実行する補充処理の制御動作を示すフローチャートである。
【図６】図６は、実施形態に係る、機器制御部が実行する保留補充処理の制御動作を示すフローチャートである。
【図７】図７は、実施形態に係る、機器制御部が実行するダイレクト補充処理の制御動作を示すフローチャートである。
【図８】図８は、実施形態に係る、保留補充処理が実行される場合に操作表示部に表示される画面の遷移について例示した図である。
【図９】図９は、実施形態に係る、ダイレクト補充処理が実行される場合に操作表示部に表示される画面の遷移について例示した図である。
【図１０】図１０（ａ）は、実施形態に係る、保留補充処理を構成する一時保留処理における紙幣処理機内での紙幣の流れを示す図であり、図１０（ｂ）は、実施形態に係る、保留補充処理を構成する振り分け処理における紙幣処理機内での紙幣の流れを示す図である。
【図１１】図１１は、実施形態に係る、ダイレクト補充処理における紙幣処理機内での紙幣の流れを示す図である。
【図１２】図１２は、実施形態に係る、機器制御部が実行する補充異常処理の制御動作を示すフローチャートである。
【図１３】図１３は、実施形態に係る、端末制御部が実行する補充異常処理の制御動作を示すフローチャートである。
【図１４】図１４（ａ）、（ｂ）および（ｃ）は、それぞれ、補充異常処理が実行されたときに操作表示部に表示される、異常通知画面、第１回収完了画面および第２回収完了画面を例示した図である。
【図１５】図１５（ａ）は、変更例１に係る、端末制御部が実行する補充処理の制御動作を示すフローチャートであり、図１５（ｂ）は、変更例１に係る、ダイレクト補充処理の受付が禁止される場合の選択画面を例示した図である。
【図１６】図１６（ａ）は、変更例２に係る、端末制御部が実行する補充処理の制御動作を示すフローチャートであり、図１６（ｂ）は、変更例２に係る、操作画面を例示した図である。
【発明を実施するための形態】
【００１３】
以下、本発明の実施形態について、図面を参照して説明する。
【００１４】
以下の実施形態には、紙幣の入出金等を行う紙幣処理装置が、本発明に係る貨幣処理装置の一つの実施形態として例示されている。
【００１５】
本実施形態において、一括収納部１０９および金種別収納部１１０ａ〜１１０ｃが特許請求の範囲に記載の「収納部」に対応する。また、操作表示部２０１が特許請求の範囲に記載の「操作受付部」、「報知部」および「表示部」に対応する。さらに、端末制御部２０２および機器制御部１１６が特許請求の範囲に記載の「処理実行部」に対応する。さらに、紙幣検知部１３０が特許請求の範囲に記載の「検知部」に対応する。
【００１６】
ただし、上記記載は、あくまで、特許請求の範囲の構成と実施形態の構成とを対応付けることを目的とするものであって、上記対応付けによって特許請求の範囲に記載の発明が実施形態の構成に何ら限定されるものではない。また、特許請求の範囲の構成と後述する変更例の構成の対応付けについても同様である。
【００１７】
図１は、本実施形態に係る、紙幣処理装置１の外観を示す斜視図である。
【００１８】
紙幣処理装置１は、紙幣処理機１０と、操作端末２０と、プリンタ３０とを備えている。紙幣処理装置１は、たとえば、銀行に設置され、顧客から預けられた紙幣の入金処理を行ったり、顧客に払い出される紙幣の出金処理を行ったりする。なお、紙幣処理装置１に、硬貨の入出金等を行う硬貨処理機が付加されることが多く、この場合には出納システムが構成される。
【００１９】
紙幣処理機１０と操作端末２０とは通信ケーブル４１で接続されており、操作端末２０とプリンタ３０とは通信ケーブル４２で接続されている。なお、このような有線方式ではなく無線方式により、紙幣処理機１０、操作端末２０およびプリンタ３０が接続されてもよい。
【００２０】
紙幣処理機１０は、外郭を構成する筐体１１を備えている。筐体１１の正面には、中央部に入金口１２および出金口１３が上下に並んで設けられており、上部に束出金口１４が設けられている。出金口１３は、上下開きのシャッター１３ａによって開閉され、束出金口１４は、左右開きのシャッター１４ａにより開閉される。入金口１２にはバラ紙幣が投入され、出金口１３にはバラ紙幣が払い出される。束出金口１４には、束紙幣が払い出される。束紙幣は、所定の枚数（たとえば、１００枚の）紙幣が帯封によって結束されることにより生成される。さらに、筐体１１の正面には、下部に扉１５が設けられている。
【００２１】
操作端末２０には、正面に操作表示部２０１が設けられている。操作表示部２０１は、操作のための画面を表示するとともに、表示された画面への操作を受け付ける。
【００２２】
図２（ａ）は、本実施形態に係る、紙幣処理機１０の内部構成を示す概要図であり、図２（ｂ）は、本実施形態に係る、一括収納部１０９および金種別収納部１１０ａ〜１１０ｃに備えられた紙幣検知部１３０の構成を示す図である。
【００２３】
図２（ａ）を参照して、紙幣処理機１０は、入金部１０１と、入金リジェクト部１０２と、出金部１０３と、束出金部１０４と、搬送部１０５と、識別部１０６と、表裏揃え部１０７と、一時保留部１０８と、一括収納部１０９と、３つの金種別収納部１１０ａ〜１１０ｃと、２つの集積部１１１ａ、１１１ｂと、結束部１１２と、揚送部１１３と、束搬送部１１４と、４つの束金種別収納部１１５ａ〜１１５ｄと、を備えている。
【００２４】
入金部１０１は、入金口１２に設けられる。入金部１０１は、繰出機構を備え、投入されたバラ紙幣を一枚ずつ搬送部１０５へ繰り出す。入金リジェクト部１０２および出金部１０３は、出金口１３に設けられる。入金リジェクト部１０２は、主に、識別部１０６により属性（真偽、金種、表裏、等）が識別できす、正常な紙幣と見做されない紙幣を受け取る。出金部１０３は、主に、一時保留部１０８から返却された紙幣や金種別収納部１１０ａ〜１１０ｃから繰り出された紙幣を受け取る。束出金部１０４は、束出金口１４に設けられ、主に、束金種別収納部１１５ａ〜１１５ｄから繰り出された束紙幣を受け取る。
【００２５】
搬送部１０５は、入金部１０１と、入金リジェクト部１０２と、出金部１０３と、一時保留部１０８と、一括収納部１０９と、３つの金種別収納部１１０ａ〜１１０ｃと、２つの集積部１１１ａ、１１１ｂとの間に巡らされる。搬送部１０５は、入金部１０１から繰り出された紙幣を、一時保留部１０８、一括収納部１０９および金種別収納部１１０ａ〜１１０ｃに搬送する。また、搬送部１０５は、金種別収納部１１０ａ〜１１０ｃから繰り出された紙幣を出金部１０３に搬送する。さらに、搬送部１０５は、一時保留部１０８から繰り出された紙幣を一括収納部１０９および金種別収納部１１０ａ〜１１０ｃに搬送する。さらに、搬送部１０５は、入金部１０１および金種別収納部１１０ａ〜１１０ｃから繰り出された紙幣を集積部１１１ａ、１１１ｂに搬送する。
【００２６】
識別部１０６は、搬送部１０５を流れる紙幣の属性（真偽、金種、表裏、等）を識別し、識別結果を後述する機器制御部に出力する。表裏揃え部１０７は、搬送部１０５を流れる紙幣の表裏を揃える。表裏揃え部１０７は、搬送部１０５の一部を構成する反転経路１０７ａおよび非反転経路１０７ｂを含む。反転経路１０７ａは、紙幣を表裏反転させる機構を含む。たとえば、表向きの紙幣が非反転経路１０７ｂを流され、裏向きの紙幣が反転経路１０７ａを流されることにより、表裏揃え部１０７を通過した後の紙幣は全て表向きに揃えられる。
【００２７】
一時保留部１０８は、入金部１０１に投入され、識別部１０６により属性が識別された正常な紙幣を、一時的に保留する。一時保留部１０８は、繰出機構を備えており、保留された紙幣を搬送部１０５へ繰り出すことができる。一時保留部１０８は、扉１５が開放されると、外部に露出する。これにより、ユーザは、一時保留部１０８の取出口から紙幣を直接取り出すことができる。
【００２８】
一括収納部１０９は、一時保留部１０８から繰り出された紙幣であって、識別部１０６により金種が識別できなかった紙幣や、２千円札など、金種別収納部１１０ａ〜１１０ｃが割り当てられていない紙幣を収納する。また、一括収納部１０９は、一時保留部１０８に振り分けられるべき紙幣のうち、収納すべき金種別収納部１１０ａ〜１１０ｃがフルまたはニヤフル状態になって収納できない紙幣（オーバーフロー紙幣）を収納する。なお、一括収納部１０９は、繰出機構を備えていないため、収納された紙幣を搬送部１０５へ繰り出せない。
【００２９】
金種別収納部１１０ａ〜１１０ｃには、一時保留部１０８から繰り出された紙幣であって、識別部１０６により金種が識別された紙幣が、金種ごとに振り分けて収納される。たとえば、金種別収納部１１０ａに１万円札が割り当てられ、金種別収納部１１０ｂに５千円札が割り当てられ、金種別収納部１１０ｃに千円札が割り当てられる。金種別収納部１１０ａ〜１１０ｃは、繰出機構を備えており、収納された紙幣を搬送部１０５へ繰り出すことができる。
【００３０】
図２（ｂ）に示すように、一括収納部１０９および金種別収納部１１０ａ〜１１０ｃには、収納された紙幣を検知するための紙幣検知部１３０が設けられている。紙幣検知部１３０は、紙幣を昇降させるステージ１３１に形成された貫通孔１３１ａと、ステージ１３１が最も下方の初期位置にあるときに、発せられた光が貫通孔１３１ａを通るように配置された発光部１３２と、貫通孔１３１ａを通過した光を受ける受光部１３３と、を含む。一括収納部１０９や金種別収納部１１０ａ〜１１０ｃ、即ちステージ１３１上に紙幣が存在するときには、発光部１３２からの光が紙幣で遮られ、受光部１３３で受光されない（図２（ｂ）の実線矢印参照）。一方、一括収納部１０９や金種別収納部１１０ａ〜１１０ｃが空であり、ステージ１３１上に紙幣が存在しないときには、発光部１３２からの光を遮るものがないため、受光部１３３で受光される（図２（ｂ）の破線矢印参照）。受光部１３３が受光すると、紙幣検知部１３０から、一括収納部１０９や金種別収納部１１０ａ〜１１０ｃに紙幣がないことを示す検知信号が出力される。
【００３１】
集積部１１１ａ、１１１ｂは、搬送部１０５により搬送された紙幣を、帯封により結束される所定枚数（通常は、１００枚）となるまで集積する。結束部１１２は、アーム機構、結束機構および搬送機構を備え、集積部１１１ａ、１１１ｂに集積された紙幣の束をアーム機構により取り出し、取り出した紙幣の束に、結束機構により帯封を掛けて束紙幣を生成し、生成した束紙幣を搬送機構により揚送部１１３へ送り込む。揚送部１１３は、上下方向に搬送路が形成されるとともに搬送路内にリフト機構を備え、結束部１１２から送り込まれた束紙幣をリフト機構によって揚送部１１３の上部に配置された束搬送部１１４へ送る。
【００３２】
束搬送部１１４は、揚送部１１３から送られてきた束紙幣を、４つの束金種別収納部１１５ａ〜１１５ｄのうち、その束紙幣の金種に対応する束金種別収納部へ搬送する。また、束搬送部１１４は、各束金種別収納部１１５ａ〜１１５ｄから繰り出された束紙幣を束出金部１０４へ搬送する。
【００３３】
束金種別収納部１１５ａ〜１１５ｄは、それぞれに割り当てられた金種の束紙幣を収納する。たとえば、２つの束金種別収納部１１５ａ、１１５ｂに１万円札が割り当てられ、束金種別収納部１１５ｃに５千円札が割り当てられ、束金種別収納部１１５ｄに千円札が割り当てられる。束金種別収納部１１５ａ〜１１５ｄは、繰出機構を備えており、収納された束紙幣を束搬送部１１４へ繰り出すことができる。
【００３４】
図３は、本実施形態に係る、紙幣処理装置１の主たる構成を示すブロック図である。
【００３５】
紙幣処理機１０は、上述した各部１０１〜１１５ｄの他、機器制御部１１６および機器記憶部１１７を備えている。
【００３６】
機器制御部１１６は、ＣＰＵ（Central Processing Unit）等の演算回路を備え、機器記憶部１１７に記憶されたプログラムに従って、各部１０１〜１１５ｄを制御する。機器記憶部１１７は、ＲＯＭ（Read Only Memory）、ＲＡＭ（Random Access Memory）やハードディスク等の記憶媒体を備え、機器制御部１１６の動作プログラムを記憶し、また、機器制御部１１６の制御処理の際にワーク領域として利用される。
【００３７】
操作端末２０は、上述した操作表示部２０１の他、端末制御部２０２および端末記憶部２０３を備えている。
【００３８】
操作表示部２０１は、ディスプレイ２１１とタッチセンサ２１２とからなるタッチパネルで構成される。ディスプレイ２１１は、各種の画像（画面）を表示する。タッチセンサ２１２は、ディスプレイ２１１に重ねられディスプレイ２１１に対するユーザのタッチ操作を検出する。プリンタ３０は、入出金された紙幣の枚数、金額等、処理結果の情報を、ジャーナルとして用紙に印字する。
【００３９】
端末制御部２０２は、ＣＰＵ等の演算回路を備え、端末記憶部２０３に記憶されたプログラムに従って、操作表示部２０１、プリンタ３０等を制御する。端末記憶部２０３は、ＲＯＭ、ＲＡＭやハードディスク等の記憶媒体を備え、端末制御部２０２の動作プログラムを記憶し、また、端末制御部２０２の制御処理の際にワーク領域として利用される。
【００４０】
端末制御部２０２は、後述する紙幣の補充処理において、操作表示部２０１へのユーザの操作に応じて補充処理に係る各種の指示（保留補充処理の指示、ダイレクト補充処理の指示等）を機器制御部１１６に対して行う。機器制御部１１６は、端末制御部２０２からの指示に従い、補充処理に係る制御を各部１０１〜１１０ｃに対して行った後、補充処理に係る各種の通知（一時保留完了の通知、振り分け完了の通知、等）を端末制御部２０２に対して行う。
【００４１】
さて、紙幣処理装置１では、バラ紙幣を入金するバラ紙幣入金処理、バラ紙幣を出金するバラ紙幣出金処理および束紙幣を出金する束紙幣出金処理が行われる。また、紙幣処理装置１では、バラ紙幣から束紙幣を生成し払い出す束紙幣生成処理が行われる。
【００４２】
バラ紙幣入金処理では、入金部１０１に投入されたバラ紙幣が、金種等の識別、計数および表裏揃えが行われた後に一時保留部１０８に保留される。保留されたバラ紙幣は、ユーザの承認操作に基づいて一時保留部１０８から繰り出され、識別された金種に応じて、一括収納部１０９および各金種別収納部１１０ａ〜１１０ｃに振り分けて収納される。
【００４３】
バラ紙幣出金処理では、ユーザにより指定された金額の紙幣が、各金種別収納部１１０ａ〜１１０ｃから繰り出され、金種等の識別および計数が行われた後に出金部１０３に払い出される。
【００４４】
束紙幣出金処理では、ユーザにより指定された金種および束数の束紙幣が、各束金種別収納部１１５ａ〜１１５ｄから繰り出され、束出金部１０４に払い出される。
【００４５】
束紙幣生成処理では、入金部１０１に投入されたバラ紙幣が、金種等の識別、計数および表裏揃えが行われた後に集積部１１１ａ、１１１ｂに集積される。集積部１１１ａ、１１１ｂで所定枚数に束ねられた紙幣は、結束部１１２で結束されて束紙幣とされ、揚送部１１３および束搬送部１１４を経由して束出金部１０４に払い出される。
【００４６】
紙幣処理装置１では、さらに、金種別収納部１１０ａ〜１１０ｃへ紙幣を補充する補充処理が行われる。補充処理は、紙幣処理装置１を最初に使用する際に行われる（初期補充）。また、補充処理は、金種別収納部１１０ａ〜１１０ｃ内の紙幣が不足したときに行われる（追加補充）。さらに、補充処理は、定期的に行われる精査のために紙幣処理機１０から全ての紙幣を回収し、その回収した全ての紙幣を紙幣処理機１０へ戻すときに行われる（精査後補充）。
【００４７】
紙幣の補充処理において、端末制御部２０２と機器制御部１１６は、共同して処理実行部として機能し、補充のために入金部１０１に投入された紙幣を一時保留部１０８に一時的に保留した後、保留された紙幣を一時保留部１０８から繰り出し一括収納部１０９および各金種別収納部１１０ａ〜１１０ｃに振り分けて収納する保留補充処理と、補充のために入金部１０１に投入された紙幣を、一時保留部１０８を経由することなく、一括収納部１０９および各金種別収納部１１０ａ〜１１０ｃに振り分けて収納するダイレクト補充処理と、を選択的に実行する。なお、保留補充処理は、特許請求の範囲に記載の「第１の補充処理」に対応し、ダイレクト補充処理は、特許請求の範囲に記載の「第２の補充処理」に対応する。
【００４８】
以下、端末制御部２０２と機器制御部１１６とにより実行される補充処理について、図４ないし図１１を参照して詳細に説明する。
【００４９】
図４および図５は、本実施形態に係る、端末制御部２０２が実行する補充処理の制御動作を示すフローチャートである。図６は、本実施形態に係る、機器制御部１１６が実行する保留補充処理の制御動作を示すフローチャートである。図７は、本実施形態に係る、機器制御部１１６が実行するダイレクト補充処理の制御動作を示すフローチャートである。図８は、本実施形態に係る、保留補充処理が実行される場合に操作表示部２０１に表示される画面の遷移について例示した図である。図９は、本実施形態に係る、ダイレクト補充処理が実行される場合に操作表示部２０１に表示される画面の遷移について例示した図である。図１０（ａ）は、本実施形態に係る、保留補充処理を構成する一時保留処理における紙幣処理機１０内での紙幣の流れを示す図であり、図１０（ｂ）は、本実施形態に係る、保留補充処理を構成する振り分け処理における紙幣処理機１０内での紙幣の流れを示す図である。図１１は、本実施形態に係る、ダイレクト補充処理における紙幣処理機１０内での紙幣の流れを示す図である。
【００５０】
端末制御部２０２は、操作表示部２０１（ディスプレイ２１１）に、初期画面として、バラ紙幣入金処理、バラ紙幣出金処理、束紙幣出金処理、束紙幣生成処理、補充処理等の各種処理を選択できるメニュー画面を表示する。かかるメニュー画面から補充処理が選択されると、図４および図５に示す、端末制御部２０２による補充処理が開始される。なお、補充処理が行われるに際し、補充のための紙幣がユーザにより入金部１０１に投入される。
【００５１】
端末制御部２０２は、操作表示部２０１（ディスプレイ２１１）に選択画面を表示する（Ｓ１０１）。図８および図９の「画面Ａ」に示すように、選択画面は、現在実行中の処理が表示される処理名表示領域Ｒ１１と、主となる情報が表示される情報表示領域Ｒ１２と、操作ボタンが表示される操作領域Ｒ１３とを含む。選択画面では、処理名表示領域Ｒ１１に、現在の処理が補充処理であることを示す「補充」の表示がなされる。また、情報表示領域Ｒ１２に、保留補充処理を選択するための保留補充ボタンＢ１１と、ダイレクト補充処理を選択するためのダイレクト補充ボタンＢ１２とが表示される。さらに、操作領域Ｒ１３に、実行操作を行うための実行ボタンＢ１３と、戻る操作を行うための戻るボタンＢ１４とが表示される。
【００５２】
端末制御部２０２は、保留補充処理の選択後に実行操作がなされたか、あるいは、ダイレクト補充処理の選択後に実行操作がなされたか、あるいは、戻る操作がなされたかを監視する（Ｓ１０２、Ｓ１０３、Ｓ１０４）。
【００５３】
本実施形態では、紙幣処理装置１を最初に使用する際の紙幣の補充（初期補充）や、精査での全ての紙幣を戻すための補充（精査後補充）など、一括収納部１０９および各金種別収納部１１０ａ〜１１０ｃの何れにも紙幣がない場合にダイレクト補充処理を行うことができる。一方で、一括収納部１０９および各金種別収納部１１０ａ〜１１０ｃの何れかに紙幣が残っている場合はダイレクト補充処理を行うことができない。
【００５４】
ユーザは、金種別収納部１１０ａ〜１１０ｃの紙幣が不足したので紙幣を補充する場合やダイレクト補充処理が可能であるがこれを希望しない場合、保留補充ボタンＢ１１により保留補充処理を選択した後に実行ボタンＢ１３により実行操作を行う。これら保留補充ボタンＢ１１と実行ボタンＢ１３の操作が、特許請求の範囲に記載の「第１の補充操作」に対応する。
【００５５】
保留補充処理の選択後に実行操作がなされた場合（Ｓ１０２：ＹＥＳ）、端末制御部２０２は、機器制御部１１６に対して保留補充処理の実行を指示する（Ｓ１０５）。そして、端末制御部２０２は、計数明細画面を操作表示部２０１に表示する（Ｓ１０６）。図８の「画面Ｂ」に示すように、計数明細画面は、選択画面と同様、処理名表示領域Ｒ１１、情報表示領域Ｒ１２および操作領域Ｒ１３を含む。計数明細画面では、処理名表示領域Ｒ１１に、現在の処理が保留補充処理であることを示す「保留補充」の表示がなされる。また、情報表示領域Ｒ１２に、金種ごとの枚数と金額、および、合計金額が表示される。さらに、操作領域Ｒ１３に、承認操作を行うための完了ボタンＢ１５と、返却操作を行うための返却ボタンＢ１６とが表示される。なお、紙幣処理機１０側で保留補充処理が開始されておらず、金種の通知が開始されていないときは、枚数および金額は、全て「０」の表示となる。紙幣処理機１０側で保留補充処理が開始され、金種の通知が開始されると、端末制御部２０２で金種ごとに枚数が計数され、図８の「画面Ｃ」に示すように、リアルタイムに金種ごとの枚数と金額、および、合計金額の表示が更新される。
【００５６】
端末制御部２０２により保留補充処理の実行が指示されると、図６に示す、機器制御部１１６による保留補充処理が開始される。
【００５７】
機器制御部１１６は、まず、Ｓ２０１ないしＳ２０７の処理からなる一時保留処理を行い、図１０（ａ）に示す紙幣の流れにて、入金部１０１に投入された紙幣を一時保留部１０８に一時的に保留する。
【００５８】
即ち、機器制御部１１６は、入金部１０１から一枚ずつ紙幣を繰り出させ（Ｓ２０１）、繰り出した紙幣の属性（真偽、金種、表裏、等）を識別部１０６により識別する（Ｓ２０２）。そして、機器制御部１１６は、識別部１０６での識別結果に基づき、識別された紙幣が正常な紙幣であるか否かを判定する（Ｓ２０３）。たとえば、機器制御部１１６は、金種が識別できる場合に、その紙幣を正常な紙幣であると判定する。
【００５９】
識別した紙幣が正常な紙幣である場合（Ｓ２０３：ＹＥＳ）、機器制御部１１６は、端末制御部２０２に金種ごとの計数を行わせるため、その紙幣の金種を端末制御部２０２に通知するとともに（Ｓ２０４）、搬送部１０５を制御して、その紙幣を一時保留部１０８へ送り込む（Ｓ２０５）。なお、紙幣が裏を向いている場合には、その紙幣は、表裏揃え部１０７の反転経路１０７ａを通され、表を向くように反転される。
【００６０】
一方、識別した紙幣が正常な紙幣でない場合（Ｓ２０３：ＮＯ）、機器制御部１１６は、搬送部１０５を制御して、その紙幣を入金リジェクト部１０２へ送り込む（Ｓ２０６）。
【００６１】
機器制御部１１６は、入金部１０１に投入された全ての紙幣が繰り出されるまで（Ｓ２０７：ＮＯ）、Ｓ２０１ないしＳ２０６の処理を繰り返す。そして、全ての紙幣が繰り出されると（Ｓ２０７：ＹＥＳ）、機器制御部１１６は、全ての紙幣の一時保留部１０８への一時保留あるいは入金リジェクト部１０２への送り込みが完了したことを端末制御部２０２へ通知する（Ｓ２０８）。
【００６２】
図４に戻り、機器制御部１１６から一時保留の完了が通知されると、端末制御部２０２は、Ｓ１０７において、一時保留部１０８への全ての紙幣の受け入れが完了したと判定する（Ｓ１０７：ＹＥＳ）。このとき、計数明細画面の情報表示領域Ｒ１２には、図８の「画面Ｃ」のように、最終的な金種ごとの枚数と金額、および合計金額が表示されている。
【００６３】
端末制御部２０２は、完了ボタンＢ１５による承認操作がなされたか、あるいは、返却ボタンＢ１６による返却操作がなされたかを監視する（Ｓ１０８、Ｓ１０９）。
【００６４】
ユーザは、最終的な金種ごとの枚数と金額、および合計金額を確認し、今回の紙幣の補充を承認する場合に承認操作を行い、今回の紙幣の補充を承認せず、紙幣の返却を行う場合に返却操作を行う。
【００６５】
承認操作が行われると（Ｓ１０８：ＹＥＳ）、端末制御部２０２は、機器制御部１１６に対して、振り分け処理の実行を指示する（Ｓ１１０）。そして、端末制御部２０２は、図８の「画面Ｄ」に示すように、計数明細画面上に、振り分け処理の動作中であることを示す通知ウィンドウＷ１１をポップアップ表示する（Ｓ１１１）。その後、機器制御部１１６から振り分け処理の完了が通知されると（Ｓ１１２：ＹＥＳ）、端末制御部２０２は、計数明細画面を閉じて、操作表示部２０１に、再び、選択画面を表示する（Ｓ１０１）。
【００６６】
一方、返却操作が行われると（Ｓ１０９：ＹＥＳ）、端末制御部２０２は、機器制御部１１６に対して、返却処理の実行を指示する（Ｓ１１３）。そして、端末制御部２０２は、図８の「画面Ｄ」に示すように、計数明細画面上に、返却処理の動作中であることを示す通知ウィンドウＷ１１をポップアップ表示する（Ｓ１１４）。その後、機器制御部１１６から返却処理の完了が通知されると（Ｓ１１５：ＹＥＳ）、端末制御部２０２は、計数明細画面を閉じて、操作表示部２０１に、再び、選択画面を表示する（Ｓ１０１）。
【００６７】
図６に戻り、Ｓ２０８で一時保留の完了を通知した後、機器制御部１１６は、端末制御部２０２からの振り分け処理の指示を受けたか、あるいは、返却処理の指示を受けたかを監視する（Ｓ２０９、Ｓ２１０）。
【００６８】
振り分け処理の指示を受けた場合（Ｓ２０９：ＹＥＳ）、機器制御部１１６は、振り分け処理を行い（Ｓ２１１）、図１０（ｂ）に示す紙幣の流れにて、一時保留部１０８に保留された紙幣を一括収納部１０９および各金種別収納部１１０ａ〜１１０ｃに振り分けて収納する。
【００６９】
即ち、機器制御部１１６は、一時保留部１０８から一枚ずつ紙幣を繰り出させ、繰り出した紙幣の金種を識別部１０６により識別し、搬送部１０５を制御して、識別された紙幣を、その金種に対応する金種別収納部１１０ａ〜１１０ｃに収納する。一時保留部１０８への搬送時には金種が識別できたが、搬送状態等何らかの原因により、振り分け処理の際に金種が識別できなかった場合や、金種別収納部１１０ａ〜１１０ｃに対応しない金種（たとえば、２千円）であった場合、機器制御部１１６は、搬送部１０５を制御し、金種が不明の紙幣や対応しない金種の紙幣を一括収納部１０９に収納する。また、オーバーフロー紙幣も、一括収納部１０９に収納する。なお、一時保留部１０８から繰り出される紙幣は、既に表裏が揃っているため、表裏揃え部１０７の反転経路１０７ａを通らない。
【００７０】
全ての紙幣を一括収納部１０９および各金種別収納部１１０ａ〜１１０ｃに収納し終えると、機器制御部１１６は、振り分け処理が完了したことを端末制御部２０２へ通知し（Ｓ２１２）、保留補充処理を終了する。
【００７１】
一方、端末制御部２０２から返却処理の指示を受けた場合（Ｓ２１０：ＹＥＳ）、機器制御部１１６は、返却処理を行い（Ｓ２１３）、一時保留部１０８に保留された紙幣を繰り出し、搬送部１０５によって出金部１０３へ送り込む。全ての紙幣を出金部１０３へ送り終えると、機器制御部１１６は、返却処理が完了したことを端末制御部２０２へ通知し（Ｓ２１４）、保留補充処理を終了する。
【００７２】
さて、ダイレクト補充処理が実行できる状況下にある場合であって、ダイレクト補充処理を希望する場合に、ユーザは、選択画面上において、ダイレクト補充ボタンＢ１２によりダイレクト補充処理を選択した後に実行ボタンＢ１３により実行操作を行う。これらダイレクト補充ボタンＢ１２と実行ボタンＢ１３の操作が、特許請求の範囲に記載の「第２の補充操作」に対応する。
【００７３】
ダイレクト補充処理の選択後に実行操作がなされた場合（Ｓ１０３：ＹＥＳ）、端末制御部２０２は、一括収納部１０９および各金種別収納部１１０ａ〜１１０ｃに備えられた紙幣検知部１３０の検知結果と、各収納部１０９、１１０ａ〜１１０ｃに対する入出金時等での紙幣のカウントにより端末記憶部２０３に記憶された、これら収納部１０９、１１０ａ〜１１０ｃの在高との双方から、これら収納部１０９、１１０ａ〜１１０ｃの何れかに紙幣があるか否かを判定する（Ｓ１１６）。なお、紙幣検知部１３０による検知結果のみから、収納部１０９、１１０ａ〜１１０ｃ内の紙幣の有無が検知されてもよい。あるいは、端末記憶部２０３に記憶された、収納部１０９、１１０ａ〜１１０ｃの在高（ソフトカウントによる検知結果）のみから収納部１０９、１１０ａ〜１１０ｃ内の紙幣の有無が検知されてもよい。ソフトカウントによる検知の場合は、機器制御部１１６と端末制御部２０２とが、特許請求の範囲に記載の「検知部」に対応することとなる。
【００７４】
上述のように、精査における紙幣の補充等、ダイレクト補充処理が行える状況下でダイレクト補充処理を実行する操作がなされた場合は、一括収納部１０９および各金種別収納部１１０ａ〜１１０ｃの何れにも紙幣がないと判定されるため（Ｓ１１６：ＮＯ）、端末制御部２０２は、機器制御部１１６に対してダイレクト補充処理の実行を指示する（Ｓ１１７）。そして、端末制御部２０２は、計数明細画面を操作表示部２０１に表示する（Ｓ１１８）。図９の「画面Ｂ」に示すように、ダイレクト補充処理の計数明細画面は、処理名表示領域Ｒ１１に現在の処理がダイレクト補充処理であることを示す「ダイレクト補充」の表示がなされる点を除いて、保留補充処理の計数明細画面と同様である。紙幣処理機１０側でダイレクト補充処理が開始され、金種の通知が開始されると、端末制御部２０２で金種ごとに枚数が計数され、図９の「画面Ｃ」に示すように、リアルタイムに金種ごとの枚数と金額、および、合計金額の表示が更新される。
【００７５】
一方、ダイレクト補充処理が行える状況下でないにもかかわらず、ダイレクト補充処理を実行する操作がなされた場合は、Ｓ１１６で一括収納部１０９および各金種別収納部１１０ａ〜１１０ｃの何れかに紙幣があると判定されるため（Ｓ１１６：ＹＥＳ）、端末制御部２０２は、図９の「画面Ｄ」に示すように、選択画面上に、ダイレクト補充処理ができないことを示す通知ウィンドウＷ１２をポップアップ表示する（Ｓ１１９）。通知ウィンドウＷ１２は、たとえば、所定時間が経過すると閉じられる。
【００７６】
端末制御部２０２によりダイレクト補充処理の実行が指示されると、図７に示す、機器制御部１１６によるダイレクト補充処理が開始される。
【００７７】
機器制御部１１６は、まず、Ｓ３０１ないしＳ３０７の振り分け収納処理を行い、図１１に示す紙幣の流れにて、入金部１０１に投入された紙幣を、一括収納部１０９および各金種別収納部１１０ａ〜１１０ｃに振り分けて収納する。
【００７８】
即ち、機器制御部１１６は、入金部１０１から一枚ずつ紙幣を繰り出させ（Ｓ３０１）、繰り出した紙幣の属性（真偽、金種、表裏、等）を識別部１０６により識別する（Ｓ３０２）。そして、機器制御部１１６は、識別部１０６での識別結果に基づき、識別された紙幣が正常な紙幣であるか否かを判定する（Ｓ３０３）。
【００７９】
識別した紙幣が正常な紙幣である場合（Ｓ３０３：ＹＥＳ）、機器制御部１１６は、その紙幣の金種を端末制御部２０２に通知するとともに（Ｓ３０４）、搬送部１０５を制御して、その紙幣の金種に対応する一括収納部１０９および金種別収納部１１０ａ〜１１０ｃへ送り込む（Ｓ３０５）。このとき、一括収納部１０９には、３つの金種別収納部１１０ａ〜１１０ｃの何れにも対応しない金種（たとえば、二千円）の紙幣が収納される。また、オーバーフロー紙幣も、一括収納部１０９に収納する。なお、紙幣が裏を向いている場合には、その紙幣は、表裏揃え部１０７の反転経路１０７ａを通され、表を向くように反転される。
【００８０】
一方、識別した紙幣が正常な紙幣でない場合（Ｓ３０３：ＮＯ）、機器制御部１１６は、搬送部１０５を制御して、その紙幣を入金リジェクト部１０２へ送り込む（Ｓ３０６）。
【００８１】
機器制御部１１６は、入金部１０１に投入された全ての紙幣が繰り出されるまで（Ｓ３０７：ＮＯ）、Ｓ３０１ないしＳ３０６の処理を繰り返す。そして、全ての紙幣が繰り出されると（Ｓ３０７：ＹＥＳ）、機器制御部１１６は、全ての紙幣の補充が完了したことを端末制御部２０２へ通知する（Ｓ３０８）。
【００８２】
図５に戻り、機器制御部１１６から補充の完了が通知されると、端末制御部２０２は、Ｓ１２０において、全ての紙幣の補充が完了したと判定する（Ｓ１２０：ＹＥＳ）。このとき、計数明細画面の情報表示領域Ｒ１２には、図９の「画面Ｃ」のように、最終的な金種ごとの枚数と金額、および合計金額が表示されている。
【００８３】
端末制御部２０２は、完了ボタンＢ１５による承認操作がなされたか、あるいは、返却ボタンＢ１６による返却操作がなされたかを監視する（Ｓ１２１、Ｓ１２２）。
【００８４】
承認操作が行われると（Ｓ１２１：ＹＥＳ）、端末制御部２０２は、機器制御部１１６に対して、ダイレクト補充処理の終了を指示する（Ｓ１２３）。そして、端末制御部２０２は、計数明細画面を閉じて、操作表示部２０１に、再び、選択画面を表示する（Ｓ１０１）。
【００８５】
一方、返却操作が行われると（Ｓ１２２：ＹＥＳ）、端末制御部２０２は、機器制御部１１６に対して、返却処理の実行を指示する（Ｓ１２４）。そして、端末制御部２０２は、図８の「画面Ｄ」と同様な、返却処理の動作中であることを示す通知ウィンドウＷ１１を、計数明細画面上にポップアップ表示する（Ｓ１２５）。その後、機器制御部１１６から返却処理の完了が通知されると（Ｓ１２６：ＹＥＳ）、端末制御部２０２は、計数明細画面を閉じて、操作表示部２０１に、再び、選択画面を表示する（Ｓ１０１）。
【００８６】
図７に戻り、Ｓ３０８で補充の完了を通知した後、機器制御部１１６は、端末制御部２０２からダイレクト補充処理の終了の指示を受けたか、あるいは、返却処理の指示を受けたかを監視する（Ｓ３０９、Ｓ３１０）。
【００８７】
ダイレクト補充処理の終了の指示を受けた場合（Ｓ３０９：ＹＥＳ）、機器制御部１１６は、ダイレクト補充処理を終了する。
【００８８】
一方、返却処理の指示を受けた場合（Ｓ３１０：ＹＥＳ）、機器制御部１１６は、返却処理を行い（Ｓ３１１）、各金種別収納部１１０ａ〜１１０ｃに保留された紙幣を繰り出し、搬送部１０５によって出金部１０３へ送り込む。全ての紙幣を出金部１０３へ送り終えると、機器制御部１１６は、返却処理が完了したことを端末制御部２０２へ通知し（Ｓ３１２）、ダイレクト補充処理を終了する。
【００８９】
なお、一括収納部１０９からは紙幣を繰り出せないが、一括収納部１０９は、扉１５を開けて筐体１１の外部に引き出せるような構成とされている。このため、返却処理の後は、ユーザが一括収納部１０９から直接、紙幣を回収する。
【００９０】
図４に戻り、保留補充処理やダイレクト補充処理が完了し、ユーザが戻るボタンＢ１４による戻る操作を行うと（Ｓ１０４：ＹＥＳ）、端末制御部２０２は、補充処理を終了する。選択画面が閉じられ、操作表示部２０１に、再び、メニュー画面が表示される。
【００９１】
本実施形態では、補充処理と並行して、補充処理時の異常を検知して異常に応じた対応を行う補充異常処理が、端末制御部２０２と機器制御部１１６とで構成される処理実行部により実行される。なお、この補充異常処理は、保留補充処理の中の一時保留処理（Ｓ２０１〜Ｓ２０７）とダイレクト補充処理の中の振り分け収納処理（Ｓ３０１〜Ｓ３０７）が実行されている間だけ実行される。
【００９２】
図１２は、本実施形態に係る、機器制御部１１６が実行する補充異常処理の制御動作を示すフローチャートである。図１３は、本実施形態に係る、端末制御部２０２が実行する補充異常処理の制御動作を示すフローチャートである。図１４（ａ）、（ｂ）および（ｃ）は、それぞれ、補充異常処理が実行されたときに操作表示部２０１に表示される、異常通知画面、第１回収完了画面および第２回収完了画面を例示した図である。
【００９３】
図１２を参照して、機器制御部１１６は、補充処理中に、停電による紙幣の搬送停止や紙幣の詰まり（ジャム）などの異常が発生したか否かを監視する（Ｓ４０１）。異常が発生すると（Ｓ４０１：ＹＥＳ）、機器制御部１１６は、異常の発生を端末制御部２０２に通知する（Ｓ４０２）。このとき、機器制御部１１６は、異常が発生した場所も通知する。そして、現在実行中の補充処理（保留補充処理、ダイレクト補充処理）を中止する（Ｓ４０３）。
【００９４】
図１３を参照して、端末制御部２０２は、機器制御部１１６から異常の通知があると（Ｓ５０１：ＹＥＳ）、それまで表示していた計数明細画面を閉じて、操作表示部２０１に異常通知画面を表示する（Ｓ５０２）。図１４（ａ）に示すように、異常通知画面は、選択画面と同様、処理名表示領域Ｒ１１、情報表示領域Ｒ１２および操作領域Ｒ１３を含む。異常通知画面では、処理名表示領域Ｒ１１に、現在の処理が補充異常処理であることを示す「補充異常」の表示がなされる。また、情報表示領域Ｒ１２に、異常の内容や異常が発生した場所を示す画像が表示される。さらに、操作領域Ｒ１３に、リセット操作を行うためのリセットボタンＢ１７が表示される。次に、端末制御部２０２は、実行中の補充処理を中止する（Ｓ５０３）。
【００９５】
ユーザは、異常通知画面により異常の発生と場所を確認すると、発生場所を開放する等の操作を行って異常を解除する。その後、ユーザは、リセットボタンＢ１７によるリセット操作を行う。リセット操作が行われると（Ｓ５０４：ＹＥＳ）、端末制御部２０２は、機器制御部１１６へリセット操作が行われたことを通知する（Ｓ５０５）。
【００９６】
図１２に戻り、機器制御部１１６は、端末制御部２０２からリセット操作の通知を受けると（Ｓ４０４：ＹＥＳ）、実行されていた補充処理が、保留補充処理であったのかダイレクト補充処理であったのかを判定する（Ｓ４０５）。保留補充処理であった場合（Ｓ４０５：保留補充）、機器制御部１１６は、搬送部１０５に残っている紙幣を一時保留部１０８に送り込む。
【００９７】
一方、ダイレクト補充処理であった場合（Ｓ４０５：ダイレクト補充）、機器制御部１１６は、全ての紙幣の回収が必要であるか否かを判定する（Ｓ４０７）。異常が停電による搬送停止である等、全ての紙幣の回収が必要である場合（Ｓ４０７：ＹＥＳ）、機器制御部１１６は、搬送部１０５と全ての金種別収納部１１０ａ〜１１０ｃに残っている紙幣を出金部１０３に送り込む（Ｓ４０８）。一方、異常が何れかの金種別収納部１１０ａ〜１１０ｃの入口での紙幣詰まりである等、全ての紙幣の回収が必要でない場合（Ｓ４０７：ＮＯ）、機器制御部１１６は、搬送部１０５と回収の対象となる金種別収納部に残っている紙幣を出金部１０３に送り込む（Ｓ４０９）。
【００９８】
こうして、一時保留部１０８への紙幣の回収または出金部１０３への紙幣の回収が完了すると、機器制御部１１６は、端末制御部２０２へ回収が完了したことを通知する（Ｓ４１０）。その後、機器制御部１１６は、紙幣処理機１０側の補充異常処理を終了する。
【００９９】
図１３に戻り、端末制御部２０２は、機器制御部１１６から回収完了の通知があると（Ｓ５０６：ＹＥＳ）、実行されていた補充処理が、保留補充処理であったのかダイレクト補充処理であったのかを判定する（Ｓ５０７）。保留補充処理であった場合（Ｓ５０７：保留補充）、端末制御部２０２は、図１４（ｂ）のような、第１回収完了画面を操作表示部２０１に表示して、一時保留部１０８への紙幣の回収が完了したことを知らせる（Ｓ５０８）。ユーザは、扉１５を開けて、直接、一時保留部１０８から紙幣を取り出す。
【０１００】
一方、ダイレクト補充処理であった場合（Ｓ５０７：ダイレクト補充）、端末制御部２０２は、図１４（ｃ）のような、第２回収完了画面を操作表示部２０１に表示して、出金部１０３への紙幣の回収が完了したことを知らせる（Ｓ５０９）。ユーザは、出金部１０３から紙幣を取り出す。さらに、ユーザは、扉１５を開けて一括収納部１０９を筐体１１の外部に引き出し、直接、一括収納部１０９から紙幣を取り出す。
【０１０１】
Ｓ５０８またはＳ５０９の回収完了の報知が終わると、端末制御部２０２は、操作端末２０側の補充異常処理を終了する。
【０１０２】
なお、Ｓ４０５の処理とＳ５０８の処理とが、特許請求の範囲に記載の「第１の回収処理」に対応する。また、Ｓ４０８の処理またはＳ４０９の処理とＳ５０９の処理とが、特許請求の範囲に記載の「第２の回収処理」に対応する。
【０１０３】
＜実施形態の効果＞
本実施形態によれば、以下の効果が奏され得る。
【０１０４】
紙幣処理装置１へ紙幣の補充を行う場合に、保留補充処理とダイレクト補充処理とを選択的に実行させることができる。保留補充処理が実行されれば、補充のための紙幣を、一時保留部１０８に一時的に保留した後に一括収納部１０９および各金種別収納部１１０ａ〜１１０ｃに振り分けて収納できる。これにより、一時保留部１０８へ保留する際に、補充される紙幣の計数を行うことができるので、計数が完了する前に紙幣詰まり等の異常が発生し、補充のやり直しが必要となった場合でも、搬送部１０５と一時保留部１０８とに存在する、補充のための紙幣のみが回収されればよくなる。一方、ダイレクト補充処理が実行されれば、補充のための紙幣を、一時保留部１０８を経由することなく、一括収納部１０９および各金種別収納部１１０ａ〜１１０ｃに振り分けて収納できる。これにより、保留補充処理が実行される場合に比べて、補充処理に要する時間を短くすることができる。
【０１０５】
また、ユーザは、選択画面上での保留補充ボタンＢ１１による操作とダイレクト補充ボタンＢ１２による操作とにより、保留補充処理とダイレクト補充処理とを選択して実行させることができる。
【０１０６】
さらに、ダイレクト補充処理は、一括収納部１０９および各金種別収納部１１０ａ〜１１０ｃの何れにも紙幣がない場合に実行可能であり、何れかの収納部に紙幣がある場合には、ユーザにより選択されてもダイレクト補充処理が実行されない。これにより、補充のための紙幣が、一時保留部１０８を経由せずに、既に紙幣が存在する一括収納部１０９や金種別収納部１１０ａ〜１１０ｃに振り分けられることがないので、補充の途中で異常が生じ、補充をやり直す必要が生じたときにも、一括収納部１０９や金種別収納部１１０ａ〜１１０ｃに既に収納されている紙幣まで回収が必要となる虞がない。
【０１０７】
さらに、ダイレクト補充処理が選択された場合に、ダイレクト補充処理が実行できなければ、操作表示部２０１での表示によって、ダイレクト補充処理が実行できないことが通知されるので、紙幣処理装置１に故障等が生じたとユーザが誤解しないようにすることができる。
【０１０８】
さらに、保留補充処理の実行中に異常が発生した場合には、搬送部１０５と一時保留部１０８とに存在する紙幣を回収するための回収処理（Ｓ４０６、Ｓ５０８）が行われ、ダイレクト補充処理の実行中に異常が発生した場合には、搬送部１０５と一括収納部１０９および３つの金種別収納部１１０ａ〜１１０ｃのうち少なくとも異常に係わる収納部に存在する紙幣を回収するための回収処理（Ｓ４０８、Ｓ４０９、Ｓ５０９）が行われる。これにより、補充中に異常が発生したときに、実行された補充処理（保留補充処理、ダイレクト補充処理）に応じた適正な紙幣の回収を行うことができる。
【０１０９】
さらに、保留補充処理が実行中であることを示す表示およびダイレクト補充処理が実行中であることを示す表示が操作表示部２０１で行われるので、ユーザは、何れの補充処理が実行中であるかを容易に把握できる。
【０１１０】
以上、本発明の実施形態について説明したが、本発明は、上記実施形態によって何ら制限されるものではなく、また、本発明の実施形態も、上記以外に種々の変更が可能である。以下、各種の変更例について説明する。
【０１１１】
＜変更例１＞
図１５（ａ）は、変更例１に係る、端末制御部２０２が実行する補充処理の制御動作を示すフローチャートであり、図１５（ｂ）は、変更例１に係る、ダイレクト補充処理の受付が禁止される場合の選択画面を例示した図である。図１５（ａ）の補充処理のフローチャートでは、図４に示す上記実施形態の補充処理のフローチャートに対して変更および追加された処理（Ｓ１３１ないしＳ１３３）を含む一部の処理のみが示されている。また、図１５（ａ）では、図４のフローチャートと同じ内容のステップには、同じステップ番号が付されている。
【０１１２】
上記実施形態では、選択画面上のダイレクト補充ボタンＢ１２によりダイレクト補充処理が選択された場合に、一括収納部１０９および各金種別収納部１１０ａ〜１１０ｃの何れかに紙幣があるか否かが判定され、紙幣がある場合には、ダイレクト補充処理が実行されずに、実行できないことが通知ウィンドウＷ１２により通知された。
【０１１３】
これに対し、本変更例では、選択画面が表示される前に、一括収納部１０９および各金種別収納部１１０ａ〜１１０ｃの何れかに紙幣があるか否かが判定され、紙幣がある場合に、選択画面上に配されたダイレクト補充ボタンＢ１２がグレーアウト表示されて、操作表示部２０１（タッチセンサ２１２）によるダイレクト補充処理を選択する操作の受付が禁止される。
【０１１４】
即ち、補充処理が開始されると、端末制御部２０２は、一括収納部１０９および各金種別収納部１１０ａ〜１１０ｃの何れかに紙幣があるか否かを判定する（Ｓ１３１）。何れの収納部１０９、１１０ａ〜１１０ｃにも紙幣がない場合（Ｓ１３１：ＮＯ）、端末制御部２０２は、図８の「画面Ａ」のような、保留補充ボタンＢ１１とダイレクト補充ボタンＢ１２の双方が操作可能な選択画面を操作表示部２０１（ディスプレイ２１１）表示する（Ｓ１０１）。一方、何れかの収納部１０９、１１０ａ〜１１０ｃに紙幣がある場合（Ｓ１３１：ＹＥＳ）、端末制御部２０２は、図１５（ｂ）のような、保留補充ボタンＢ１１は操作できるがダイレクト補充ボタンＢ１２はグレーアウト表示されて操作できない選択画面を操作表示部２０１に表示する（Ｓ１３２）。ダイレクト補充ボタンＢ１２がグレーアウト表示されると、ダイレクト補充ボタンＢ１２の操作が操作表示部２０１によって受け付けられない。このため、端末制御部２０２は、ダイレクト補充ボタンＢ１２がグレーアウト表示されていない場合には（Ｓ１３３：ＮＯ）、ダイレクト補充処理を選択し実行する操作を監視する（Ｓ１０３）が、ダイレクト補充ボタンＢ１２がグレーアウト表示されている場合（Ｓ１３３：ＹＥＳ）には、ダイレクト補充処理を選択し実行する操作を監視しない。
【０１１５】
本変更例の構成とすれば、ダイレクト補充処理が実行できる場合のみ、ユーザは選択画面上でダイレクト補充処理の選択が可能となるので、ユーザは無駄な選択操作を行わずに済む。
【０１１６】
なお、操作表示部２０１によるダイレクト補充処理の選択操作の受付を禁止するために、グレーアウト表示ではなく、選択画面からダイレクト補充ボタンＢ１２が消される構成が採られてもよい。また、ダイレクト補充処理を実行できない理由を表示してもよい。
【０１１７】
＜変更例２＞
図１６（ａ）は、変更例２に係る、端末制御部２０２が実行する補充処理の制御動作を示すフローチャートであり、図１６（ｂ）は、変更例２に係る、操作画面を例示した図である。図１６（ａ）の補充処理のフローチャートでは、図４に示す上記実施形態の補充処理のフローチャートに対して変更および追加された処理（Ｓ１４１ないしＳ１４３）を含む一部の処理のみが示されている。また、図１６（ａ）では、図４のフローチャートと同じ内容のステップには、同じステップ番号が付されている。
【０１１８】
上記実施形態では、選択画面上での保留補充ボタンＢ１１とダイレクト補充ボタンＢ１２とによるユーザの選択操作に基づいて保留補充処理またはダイレクト補充処理が実行された。
【０１１９】
これに対し、本変更例では、操作表示部２０１に、選択画面に替えて操作画面が表示され、操作画面上で補充処理の実行操作がなされると、一括収納部１０９および各金種別収納部１１０ａ〜１１０ｃの何れかに紙幣があるか否かの判定に基づいて、自動的に、保留補充処理またはダイレクト補充処理が実行される。なお、実行ボタンＢ１３による実行操作が、特許請求の範囲に記載の「補充操作」に対応する。
【０１２０】
即ち、補充処理が開始されると、端末制御部２０２は、操作表示部２０１（ディスプレイ２１１）に操作画面を表示する。図１６（ｂ）に示すように、操作画面には、情報表示領域Ｒ１２に、保留補充処理またはダイレクト補充を選択するボタンではなく、たとえば、実行操作を促す表示が行われる。端末制御部２０２は、実行ボタンＢ１３による実行操作を監視し（Ｓ１４２）、実行操作があれば（Ｓ１４２：ＹＥＳ）、一括収納部１０９および各金種別収納部１１０ａ〜１１０ｃの何れかに紙幣があるか否かを判定する（Ｓ１４３）。何れかの収納部１０９、１１０ａ〜１１０ｃに紙幣がある場合（Ｓ１４３：ＹＥＳ）、端末制御部２０２は、機器制御部１１６に対して保留補充処理の実行を指示する（Ｓ１０５）。これにより、機器制御部１１６によって保留補充処理が実行される。一方、何れの収納部１０９、１１０ａ〜１１０ｃにも紙幣がない場合（Ｓ１４３：ＮＯ）、端末制御部２０２は、機器制御部１１６に対してダイレクト補充処理の実行を指示する（Ｓ１１７）。これにより、機器制御部１１６によってダイレクト補充処理が実行される。
【０１２１】
本変更例の構成とすれば、ユーザが選択操作を行わなくとも、保留補充処理およびダイレクト補充処理のうち、補充の際の紙幣処理装置１の紙幣保管状況に応じた適正な補充処理を実行することができる。
【０１２２】
＜その他の変更例＞
その他、上記実施形態は、以下のとおり、適宜変更され得る。
【０１２３】
たとえば、上記実施形態では、一括収納部１０９および３つの金種別収納部１１０ａ〜１１０ｃの何れにも紙幣がない場合に、ダイレクト補充処理が実行可能とされた。しかしながら、補充される紙幣の金種がユーザにより操作表示部２０１に入力されるような場合には、その金種の紙幣の収納対象となる金種別収納部に紙幣がないときに、他の金種の紙幣が機内にあったとしても、ダイレクト補充処理が実行可能とされるようにしてもよい。さらには、一括収納部１０９および金種別収納部１１０ａ〜１１０ｃの紙幣の有無に関わらず、ダイレクト補充処理が実行できてもよい。ただし、この場合、ユーザが、ダイレクト補充処理を選択した際に、異常発生時に補充前から紙幣処理装置１に収納されている紙幣の回収が必要となる虞があることを、操作表示部２０１での表示等により、ユーザに通知することが望ましい。
【０１２４】
また、上記実施形態では、紙幣処理装置１が、バラ紙幣を結束して束紙幣を生成する機能と、束紙幣を収納するとともに払い出す機能を備えているが、これらの機能を紙幣処理装置１が備えていなくてもよい。即ち、紙幣処理装置１に、束出金部１０４と、集積部１１１ａ、１１１ｂと、結束部１１２と、揚送部１１３と、束搬送部１１４と、束金種別収納部１１５ａ〜１１５ｄと、が備えられていなくてもよい。
【０１２５】
さらに、紙幣処理装置１に設けられる、一括収納部１０９と金種別収納部１１０ａ〜１１０ｃとからなる複数の収納部の個数は、上記実施形態に示された個数に限られない。
【０１２６】
さらに、上記実施形態では、保留補充処理およびダイレクト補充処理において、金種が識別できない紙幣を、入金リジェクト部１０２に送り込むようにした。しかしながら、保留補充処理では、識別部１０６による識別の結果、出金しない紙幣（汚損紙幣、旧券、２千円札、等）と識別された紙幣も、入金リジェクト部１０２に送り込むようにし、ダイレクト補充処理では、出金しない紙幣を入金リジェクト部１０２に送り込まない構成が採られてもよい（たとえば、一括収納部１０９に送り込む）。こうすれば、保留補充処理が選択され得る通常の補充（在高の不足を補う補充）では、出金に適さない無駄な紙幣の収納を避けることができ、ダイレクト補充処理が選択され得る精査（現金監査）の際には、一旦取り出された紙幣を、そのまま紙幣処理装置１へ戻すことができる。
【０１２７】
さらに、上記実施形態では、ダイレクト補充処理時に異常が発生し、全ての紙幣の回収が必要となった場合に、全ての金種別収納部１１０ａ〜１１０ｃに残っている紙幣が出金部１０３に送り込まれた。しかしながら、金種別収納部１１０ａ〜１１０ｃは、一括収納部１０９と同様、扉１５を開けることにより外部への引き出しが可能であるため、金種別収納部１１０ａ〜１１０ｃの紙幣が出金部１０３に送り込まれるのではなく、一括収納部１０９と同様に、金種別収納部１１０ａ〜１１０ｃから紙幣が直接取り出されるようにされてもよい。このようにすれば、紙幣が出金部１０３に送り込まれる場合に比べて、回収時間を短くできる。なお、金種別収納部１１０ａ〜１１０ｃから紙幣が取り出された後は、紙幣検知部１３０の検知結果により紙幣が無くなったことを確認することが望ましい。
【０１２８】
さらに、上記実施形態の紙幣処理装置１に、一時保留部１０８が使用中であり、次の入金処理に一時保留部１０８が使用できないときに、入金のために入金部１０１に投入された紙幣を、一時保留部１０８を経由せずに、一括収納部１０９および金種別収納部１１０ａ〜１１０ｃに収納する機能が備えられ、この機能に係る処理が、端末制御部２０２と機器制御部１１６からなる処理実行部で実行されてもよい。
【０１２９】
さらに、上記実施形態の紙幣処理装置１において、入金のために入金部１０１に投入された紙幣を一時保留部１０８に一時的に保留した後、承認操作に基づいて、保留された貨幣を一時保留部１０８から繰り出し一括収納部１０９および金種別収納部１１０ａ〜１１０ｃに振り分けて収納する保留入金処理と、入金のために入金部１０１に投入された紙幣を、一時保留部１０８を経由することなく、一括収納部１０９および金種別収納部１１０ａ〜１１０ｃに振り分けて収納するダイレクト入金処理とが、ユーザの選択操作に応じて、端末制御部２０２と機器制御部１１６からなる処理実行部で実行されてもよい。このようにすれば、入金処理の時間短縮を図ることが可能となる。この場合、ユーザがダイレクト入金処理を選択した際に、異常発生時に補充前から紙幣処理装置１に収納されている紙幣の回収が必要となる虞があることを、操作表示部２０１での表示等により、ユーザに通知することが望ましい。
【０１３０】
さらに、上記実施形態では、本発明の貨幣処理装置が、紙幣処理装置１に適用される例を示したが、本発明は、入金部に投入された貨幣が振り分けられて収納される複数の収納部と、振り分けられる前の貨幣が一時的に保留される一時保留部とを備える構成であれば、如何なる貨幣処理装置に適用することもできる。たとえば、硬貨の入出金等を行う硬貨処理装置、新券の出金を行う新券出金装置、貨幣に加え有価証券（小切手、商品券等）の処理を行う複合処理装置に、本発明を適用することもできる。
【０１３１】
この他、本発明の実施形態は、特許請求の範囲に記載の範囲で適宜変更可能である。
【符号の説明】
【０１３２】
１  紙幣処理装置
１０  紙幣処理機
２０  操作端末
１０１  入金部
１０５  搬送部
１０８  一時保留部
１０９  一括収納部（収納部）
１１０ａ〜１１０ｃ  金種別収納部（収納部）
１１６  機器制御部（処理実行部）
１３０  紙幣検知部（検知部）
２０２  端末制御部（処理実行部）
２０１  操作表示部（操作受付部、表示部、報知部）
【図１】
0006605275.tif 000002
【図２】
0006605275.tif 000003
【図３】
0006605275.tif 000004
【図４】
0006605275.tif 000005
【図５】
0006605275.tif 000006
【図６】
0006605275.tif 000007
【図７】
0006605275.tif 000008
【図８】
0006605275.tif 000009
【図９】
0006605275.tif 000010
【図１０】
0006605275.tif 000011
【図１１】
0006605275.tif 000012
【図１２】
0006605275.tif 000013
【図１３】
0006605275.tif 000014
【図１４】
0006605275.tif 000015
【図１５】
0006605275.tif 000016
【図１６】
0006605275.tif 000017